(57)【要約】【課題】放送番組の映像を好適な位置で区切ることができる映像処理装置および映像処理方法の提供。【解決手段】本実施形態の映像処理装置は、放送番組の映像データを受信する受信手段と、受信された映像データからＣＭ区間を検出するＣＭ検出手段と、検出されたＣＭ区間の前の第１区間と後の第２区間の映像が異なる場合であって、第１区間に対応する字幕の文字の一部と、第２区間に対応する字幕の文字の一部とが一致する場合、映像データの第１区間の先頭近傍の第１位置とＣＭ区間の後端近傍の第２位置に区切り情報を対応付けて映像データとともに記憶媒体に記憶させる記憶手段とを備える。【選択図】  図２
2013030259.tif 000002
【特許請求の範囲】
【請求項１】
放送番組の映像データを受信する受信手段と、
受信された映像データからＣＭ区間を検出するＣＭ検出手段と、
検出された前記ＣＭ区間の前の第１区間と後の第２区間の映像が異なる場合であって、前記第１区間に対応する字幕の文字の一部と、前記第２区間に対応する字幕の文字の一部とが一致する場合、前記映像データの前記第１区間の先頭近傍の第１位置と前記ＣＭ区間の後端近傍の第２位置に区切り情報を対応付けて前記映像データとともに記憶媒体に記憶させる記憶手段と
を備える映像処理装置。
【請求項２】
前記区切り情報は、前記映像データが再生される場合に、前記第１位置から前記第２位置にジャンプさせるための設定情報を含む、請求項１記載の映像処理装置。
【請求項３】
検出された前記ＣＭ区間の前の区間における第１シーンチェンジ点を検出するシーン検出手段を更に備え、
前記第１区間は、前記第１シーンチェンジ点と前記ＣＭ区間との間にある区間である、請求項１記載の映像処理装置。
【請求項４】
前記第１の区間は、前記第１シーンチェンジ点と前記ＣＭ区間との間にある区間のうち、前記ＣＭ区間の後の区間に一致する映像が含まれない区間である、請求項３記載の映像処理装置。
【請求項５】
前記記憶手段は、前記第１区間に対応する字幕の文字の全てと、前記第２区間に対応する字幕の文字の全てとが一致する場合に、前記映像データに前記区切り情報を対応付けて前記記憶媒体に記憶させる、請求項１記載の映像処理装置。
【請求項６】
前記記憶手段は、前記第１の区間および前記第２の区間の夫々に複数の字幕が対応する場合には、前記第１の区間に対応する複数の字幕のうち所定数以上の字幕において、字幕に含まれる文字の一部が前記第２区間の字幕に含まれる文字と一致する場合に、前記映像データに前記区切り情報を対応付けて前記記憶媒体に記憶させる、請求項１記載の映像処理装置。
【請求項７】
前記記憶手段は、前記第１の区間および前記第２の区間の夫々に複数の字幕が対応する場合には、前記第１の区間に対応する複数の字幕のうち所定数以上の字幕において、字幕に含まれる文字の全てが前記第２区間の字幕に含まれる文字と一致する場合に、前記映像データに前記区切り情報を対応付けて前記記憶媒体に記憶させる、請求項１記載の映像処理装置。
【請求項８】
映像を処理する装置における映像処理方法であって、
放送番組の映像データを受信することと、
受信された映像データからＣＭ区間を検出することと、
検出された前記ＣＭ区間の前の第１区間と後の第２区間の映像が異なる場合であって、前記第１区間に対応する字幕の文字の一部と、前記第２区間に対応する字幕の文字の一部とが一致する場合、前記映像データの前記第１区間の先頭近傍の第１位置と前記ＣＭ区間の後端近傍の第２位置に区切り情報を対応付けて前記映像データとともに記憶媒体に記憶させることと
を備える映像処理方法。
【発明の詳細な説明】
【技術分野】
【０００１】
本発明の実施形態は、映像処理装置及び映像処理方法に関する。
【背景技術】
【０００２】
放送番組の映像を記録する場合に、ＣＭ区間を検出して番組本編とＣＭ区間の境界にチャプタ等の区切り情報を付与する技術や、ＣＭ区間を区切って削除する技術がある。
【先行技術文献】
【特許文献】
【０００３】
【特許文献１】特開２００７−２７２１５５号公報
【特許文献２】特開２００７−８２０９１号公報
【発明の概要】
【発明が解決しようとする課題】
【０００４】
放送番組によっては、ＣＭ前後の本編において、ＣＭ前と後とで内容が対応する映像が放送される場合があるが、このような場合にも、放送番組の映像を好適な位置で区切れること好ましい。
【０００５】
そこで本発明の実施形態は、放送番組の映像を好適な位置で区切ることができる映像処理装置および映像処理方法の提供を目的とする。
【課題を解決するための手段】
【０００６】
上記の課題を解決するために、本実施形態の映像処理装置は、放送番組の映像データを受信する受信手段と、受信された映像データからＣＭ区間を検出するＣＭ検出手段と、検出されたＣＭ区間の前の第１区間と後の第２区間の映像が異なる場合であって、第１区間に対応する字幕の文字の一部と、第２区間に対応する字幕の文字の一部とが一致する場合、映像データの第１区間の先頭近傍の第１位置とＣＭ区間の後端近傍の第２位置に区切り情報を対応付けて映像データとともに記憶媒体に記憶させる記憶手段とを備える。
【図面の簡単な説明】
【０００７】
【図１】実施形態の映像処理装置の利用形態例を示す図。
【図２】実施形態の映像処理装置のシステム構成例を示す図。
【図３】実施形態の映像処理装置による映像の区切り処理例を示す図。
【図４】実施形態の映像処理装置が区切り処理において用いる字幕データ例を示す図。
【図５】実施形態の映像処理装置による映像の区切り処理に係る処理フロー例を示す図。
【発明を実施するための形態】
【０００８】
以下、図面を参照して実施形態を説明する。
図１は本実施形態に係る映像処理装置の利用形態例を示す図である。本実施形態に係る映像処理装置は、例えば録画装置１００として実現される。録画装置１００は、テレビ放送受信アンテナが受信した放送波を受信し、当該放送波に含まれる放送番組の映像データを記録（録画）する。録画装置１００は表示装置２００とデジタルインタフェースにより無線／有線接続されており、記録した映像データを表示装置２００に出力して当該映像データの映像を表示装置２００に表示させる。そして本実施形態に係る録画装置１００は、放送番組の映像データの録画に際し、当該放送番組のＣＭ区間前後の区間を好適な位置で区切ることができる。より具体的には、録画装置１００は、ＣＭ区間の前に放送された内容がＣＭ区間の後にも繰り返し放送されるような場合において、ＣＭ前後の区間の内容を好適に判別し、当該放送の映像を録画して再生する場合に、繰り返して放送された部分をスキップできるように好適な位置で区切ることができる。
【０００９】
図２は録画装置１００及び表示装置２００のシステム構成例を示す図である。
録画装置１００は、受信部１１０、分離部１２０、区間検出部１３０、字幕類似度検出部１４０、区切り処理部１５０、記憶部１６０、操作受付部１７０、録画再生制御部１８０、映像出力部１９０等を備える。
【００１０】
受信部１１０は、例えばチューナモジュール等であり、デジタルテレビ放送の放送波を受信する。なお放送波には、例えば映像データ（メイン映像）、音声データ及び字幕データ（サブ映像）のストリームが例えばＴＳ（Ｔｒａｎｓｐｏｒｔ  Ｓｔｒｅａｍ）形式で重畳されている。分離部１２０は、放送波に重畳された映像データのストリームと字幕映像のストリームとを分離し、メイン映像を区間検出部１３０に、字幕映像を字幕類似度検出部１４０に出力する。
【００１１】
区間検出部１３０は、ＣＭ検出部１３１、シーン検出部１３２、画像類似度検出部１３３を備える。ＣＭ検出部１３１は、入力された映像データに含まれる任意区間（ＣＭ区間）を検出する。ここでＣＭ検出部１３１は、例えばＣＭ区間と本編との間に存在する無音区間に基づいてＣＭ区間を検出する。即ち、ＣＭ区間は１５秒の略整数倍の時間長であるため、ＣＭ検出部１３１は、検出した無音区間と無音区間との間の時間が１５秒の略整数であるか否かに応じてＣＭ区間を検出する。
【００１２】
シーン検出部１３２は、放送番組の映像データの本編区間においてシーンが変わる時間位置（シーンチェンジ位置）を検出し、ＣＭ区間前後の本編におけるシーンチェンジ位置と当該ＣＭ区間との間の本編シーンを検出する。ここでシーンチェンジ位置の検出は例えば特許文献２に記載の公知技術を用いて行われる。なおシーン検出部１３２は、必ずしも本編区間の全てに対してシーンチェンジ位置を検出する必要はなく、少なくともＣＭ区間前後の所定時間長に対してシーンチェンジ位置を検出すればよい。
【００１３】
画像類似度検出部１３３は、ＣＭ前のシーンにおける映像とＣＭ後のシーンにおける映像との類似度を判別する。ここで画像類似度検出部１３３は、ＣＭ前のシーンの映像とＣＭ後のシーンの映像の両方を複数の分割区間に分割し、夫々の分割区間に識別子を付与する。そして画像類似度検出部１３３は、ＣＭ前の分割区間とＣＭ後の分割区間の映像の類似度を夫々の区間毎に判別する。そして画像類似度検出部１３３は、ＣＭ前の分割区間の映像とＣＭ後の分割区間の映像と全て一致する場合（所定閾値以上の類似度を示す場合）、区切り処理部１５０に、ＣＭ区間前のシーンチェンジ位置とＣＭ区間の終了位置とを通知して、これらの位置で映像を区切るよう指示する。
【００１４】
一方画像類似度検出部１３３は、ＣＭ前の分割区間の映像とＣＭ後の分割区間の映像のうち一部が一致し、一部が一致しない場合、当該一致しない分割区間における字幕の類似度検出を字幕類似度検出部１４０に指示する。なお画像類似度検出部１３３は、ＣＭ前と後とでシーン内の映像が異なっている区間が所定時間長以上である場合、ＣＭ開始位置（開始時間）とＣＭ終了位置（終了時間）を区切り処理部１５０に通知して、これらの位置で区切るよう指示しても良い。なお区間検出部１３０の詳細な処理については図３を参照して後述する。
【００１５】
字幕類似度検出部１４０には、字幕データのストリームが入力される。そして字幕類似度検出部１４０は、画像類似度検出部１３３から指示を受けた区間において表示される字幕データの類似度を検出する。即ち、画像類似度検出部１３３から指定されたＣＭ区間前の分割区間における字幕データと、画像類似度検出部１３３から指定されたＣＭ区間後の分割区間における字幕データとを比較し、これら字幕データが類似するか否かを判別する。そして字幕類似度検出部１４０は、これら字幕が類似する場合、区切り処理部１５０に、ＣＭ区間前のシーンチェンジ位置とＣＭ区間の終了位置とで区切るよう指示する。一方字幕が類似しない場合、字幕類似度検出部１４０は、ＣＭ開始位置とＣＭ終了位置とで映像を区切るよう区切り処理部１５０に指示する。
【００１６】
なお字幕類似度検出部１４０には、必ずしもストリームとして字幕データが入力されなくともよく、字幕が埋め込まれた映像データが入力されても良い。そしてこの場合に字幕類似度検出部１４０は、映像中の字幕の文字を検出して、ＣＭ前後で検出した字幕の文字同士の類似度を判別する。
【００１７】
区切り処理部１５０は、映像データのストリーム及び字幕データのストリームの、区間検出部１３０及び字幕類似度検出部１４０からの指示に応じた位置に区切り情報を付与し、プレイリストを生成する。そして区切り処理部１５０は、作成したプレイリストを記憶部１６０に出力する。また区切り処理部１５０は入力された指示に応じた位置でストリームの一部を削除し、削除していない部分を結合させても良い。記憶部１６０は、例えばＨＤＤやリムーバブルメディア等の記憶媒体であり、受信部１１０が受信した映像データ、音声データ及び字幕データのストリームが例えばＴＳ形式で入力される（当該ストリームの経路は不図示）。そして記憶部１６０は、入力されたプレイリストと入力されたＴＳ形式のデータとを対応付けて記憶する。即ち記憶部１６０は、放送番組の映像データと、当該映像データの区切り情報とを対応付けて記憶する。
【００１８】
操作受付部１７０は、ユーザからの操作入力を受け付ける。ここで操作受付部１７０は、例えばテレビ放送の何れかのチャンネルの録画を指示する操作入力や、受信部１１０が受信した何れかのチャンネルの映像を外部機器に出力させる操作入力、記憶部１６０に録画された映像データの再生を指示する操作入力等を受け付ける。そして操作受付部１７０は、受け付けた操作入力に応じた通知を録画再生制御部１８０に行う。
【００１９】
録画再生制御部１８０は、操作受付部１７０が受け付けた操作入力に応じて、録画処理と再生処理とを実行する。何れかのチャンネルの録画を指示する操作入力を受けた場合に録画再生制御部１８０は、操作入力に応じたチャンネルを受信部１１０に受信させ、当該受信させたチャンネルのＴＳデータを記憶部１６０に記憶させる。また録画再生制御部１８０は、放送中の番組の映像データを外部機器に出力させる操作があった場合、当該操作に応じたチャンネルを受信部１１０に受信させ、受信させた映像データを映像出力部１９０から外部機器に出力させる。また録画再生制御部１８０は、録画された映像の再生操作があった場合、記憶部１６０に記憶された映像を映像出力部１９０から外部機器に出力させる。なお、映像出力部１９０から外部機器に映像を出力する際には、出力前に映像や音声のデコードを行ってから出力しても良い。
【００２０】
次に表示装置２００を説明する。表示装置２００は、映像入力部２１０、映像処理部２２０等を備える。映像入力部２１０は録画装置１００から送信された映像データを受信する。映像処理部２２０は、映像入力部２１０が受信した映像データを表示部２３０が表示可能な形式の映像信号に変換し、当該映像信号を表示部２３０に出力する。なお映像処理部２２０は、映像入力部２１０が受信した映像データがデコードされていない場合、当該映像データをデコードした後映像信号に変換しても良い。そして表示部２３０は、入力された映像信号を用いて映像を表示する。
【００２１】
図３は録画装置１００による映像の区切り処理例を示す図である。
まずＣＭ検出部１３１は、映像データからＣＭ区間を検出して、図３（Ａ）のようにＣＭ区間と本編との境界Ｐ１及びＰ２を検出する。次にシーン検出部１３２は、ＣＭ区間の前の区間のうち境界Ｐ１から所定区間長以内にある区間からシーンチェンジ位置Ｐ３を検出する。また同様にシーン検出部１３２は、ＣＭ区間の後の区間のうち境界Ｐ２から所定区間長以内にある区間からシーンチェンジ位置Ｐ４を検出する。
【００２２】
そして画像類似度検出部１３３は、ＣＭ区間直前のシーンｎ２とＣＭ区間直後のシーンｎ３を、夫々複数のショット（分割区間）に分割し、シーンｎ２とシーンｎ３とにおいて夫々同じ位置にある分割区間の類似度を検出する。即ち、ショットｍ１とショットｍ４、ショットｍ２とショットｍ５、ショットｍ３とショットｍ６の映像の類似度を検出する。ここで、図３（Ｃ）に示すように、ショットｍ１とショットｍ４、及びショットｍ２とショットｍ５とが類似し、ショットｍ３とショットｍ６とが非類似である場合、録画装置１００は図４で後述する字幕の類似度に応じて区切り位置を選択する。
【００２３】
即ち、ショットｍ３の映像とショットｍ６の映像とが非類似であっても、ショットｍ３の字幕とショットｍ６の字幕とが類似している場合、録画装置１００は、シーンｎ２とシーンｎ３とを類似区間であると判別して、位置Ｐ９と位置Ｐ１０とを区切り位置として設定する。そして区切り処理部１５０は、当該位置Ｐ９及びＰ１０にチャプタ等の区切り情報を付与し、映像データに対応付けて記憶部１６０に記憶させる。なおチャプタとは、映像再生時に映像の再生位置を当該チャプタの位置から次のチャプタの位置までジャンプさせるための区切り情報である。
【００２４】
また区切り処理部１５０は、映像データに区切り情報を付与して対応付ける場合、必ずしも厳密に位置Ｐ９及びＰ１０の位置に付与しなくともよく、例えば前後数百ｍｓｅｃ程度ずれていてもよい。しかしながら、区切り情報の位置をシーンチェンジ点の位置Ｐ９に合わせることで、映像再生時にチャプタを利用してジャンプする際に、映像が不自然に途切れることを抑制することができる。
【００２５】
なお図３（Ｂ）において、シーンｎ２の後端はＣＭによりカットされているが、シーンｎ３の後端にはシーンｎ４が連なるため、場合によってはそもそもシーンｎ３とシーンｎ４の間にシーンチェンジ点Ｐ４が検出されない場合もある。この場合にシーン検出部１３２は、まずＣＭ前の区間からシーンチェンジ点Ｐ３を検出してシーンｎ２の区間長（時間長）を検出し、位置Ｐ２から当該区間長分後の位置を仮のシーンチェンジ点として検出してもよい。そしてこの場合の以降の処理は図３（Ｃ）及び（Ｄ）と同様に行われる。
【００２６】
これにより、バラエティー番組やクイズ番組において、ＣＭ区間の前と後に、映像が若干異なっていても内容が類似しているもの、例えばＣＭ区間の前では映像の一部にモザイクや帯状の画像が表示され、ＣＭ区間の後ではこれらが無いような場合であっても、字幕の類似度に基づいて好適な位置で映像を区切ることができる。
【００２７】
なお区切り処理部１５０は、ショットｍ３の映像とショットｍ６の映像、及びショットｍ３の字幕とショットｍ６の字幕が類似しない場合、シーンｎ２とシーンｎ３を非類似区間と判別して区切り情報をＣＭの開始位置と終了位置に付与しても良い。
【００２８】
図４は、図３（Ｃ）に示した夫々のショットの区間において表示される字幕の例を示す図である。
図４（Ａ）に示す例では、ショットｍ１とショットｍ４、ショットｍ２とショットｍ５、及びショットｍ３とショットｍ６の字幕が一致している。このため字幕類似度検出部１４０は、ショットｍ１とショットｍ４、ショットｍ２とショットｍ５、及びショットｍ３とショットｍ６とが夫々類似区間であると判別し、これらのショットが含まれるシーンｎ２とシーンｎ３とが類似区間であると判別する。
【００２９】
図４（Ｂ）に示す例では、ＣＭ区間前のショットｍ３の字幕に「ゴール！２回目は・・・」と表示され、ＣＭ区間後のショットｍ６の字幕に「ゴール！２回目は７７点！」と表示される。ここで、ＣＭ前の字幕ではＣＭ後の重要シーンの内容を事前にユーザに知られることを防ぐため、例えばクイズの回答やゲームの得点などについて「・・・」などの表記とし、そこでＣＭに入る、といった手法が使われる場合がある。このため字幕類似度検出部１４０は、ＣＭ前の字幕に「・・・」等の表記がある場合には、字幕の文字のうち当該「・・・」以前の文字に対して、ＣＭ後の字幕の文字との比較を行う。
【００３０】
そして字幕類似度検出部１４０は、ショットｍ２の字幕の「・・・」以前の部分と、ショットｍ６の「７７点！」以前の部分とが一致するため、これらショットの字幕を類似する字幕として判別する。即ち字幕類似度検出部１４０は、ＣＭ前の字幕の先頭から所定文字数分の文字と、ＣＭ後の字幕の文字の一部とが一致している場合、これら字幕を類似していると判別する。
【００３１】
図４（Ｃ）に示す例では、ＣＭ区間前のショットｍ３の字幕に「というわけで、一回目、よーいスタート」と表示され、ＣＭ区間後のショットｍ６の字幕に「一回目、よーいスタート」と表示される。ここで、ＣＭ前の字幕の内容が長い場合などにおいて、ＣＭ後の字幕ではＣＭ前の字幕の文字列のうち先頭部分を削除したものが表示される場合がある。このため字幕類似度検出部１４０は、ＣＭ前の字幕の文字の後方の一部とＣＭ後の字幕の文字とが一致する場合、これら字幕が類似していると判別する。
【００３２】
なお、図４（Ｃ）や（Ｄ）に示したように、ＣＭ前の字幕の一部とＣＭ後の字幕の一部とが一致している場合にこれら字幕を類似すると判別すると、一方の字幕の文字列長が著しく短い場合や意味をなさない文字の羅列になっている場合にも類似と判別する恐れがあるため、このような場合には類似と判別しないようにしても良い。
【００３３】
図４（Ｄ）に示す例では、ＣＭ区間前のショットｍ３の字幕に「＜果たして  斉藤・・・＞」、「お願いします！」、及び「（スタッフ）いきまーす」と表示され、ＣＭ区間後のショットｍ６の字幕に「＜果たして  斉藤・・・＞」、「（スタッフ）いきまーす」、及び「（斉藤）よーし！」と表示される。このように、ショットによっては複数の字幕を含む場合があり、また、その内容がＣＭ前とＣＭ後とで若干異なる場合がある。
【００３４】
そして図４（Ｄ）の例では、１番目と４番目、３番目と５番目の文字列が一致しているが、ＣＭ前の２番目の字幕はＣＭ後には存在しない。このような場合、ＣＭ前のショットに含まれる複数の字幕とＣＭ後のショットに含まれる複数の字幕とについて、夫々一致を判別し、一致数の割合に応じてＣＭ前後のショットが類似するか否か判別してもよい。即ち、図４（Ｄ）の例では、ショットｍ３及びｍ６に夫々３つの字幕が存在し、２つずつが一致しているため、一致数が４、不一致数が２となり、字幕一致数／総字幕数＝４／６＝０．６７として、この数値が所定の閾値以上であればショットが類似していると判別しても良い。また、図４（Ｄ）の例においても、図４（Ｃ）や図４（Ｄ）のように、字幕の一部が一致していることにより各々の字幕が類似していると判別してもよい。
【００３５】
図５は録画装置１００による区切り処理に係る処理フロー例である。
まず受信部１１０がテレビ放送番組の映像データを受信すると（Ｓ５０１）、続いてＣＭ検出部１３１は当該映像データ中におけるＣＭ区間を検出する（Ｓ５０２）。次にシーン検出部１３２は、ＣＭ区間前後の一定長の区間からシーンチェンジ点を検出する（Ｓ５０３）。そして画像類似度検出部１３３は、ＣＭ区間の前の区間及び後の区間を夫々複数の分割区間に分割し、当該分割区間毎に、ＣＭ区間の前と後とで映像が一致するか否か（所定の類似度以上であるか否か）を判別する（Ｓ５０４）。
【００３６】
そして、ＣＭ区間の前と後とで全ての分割区間の映像が一致している場合（Ｓ５０５のＮｏ）、区切り処理部１５０は、映像データの図３（Ｄ）における位置Ｐ９及び位置Ｐ１０の位置に区切り情報を対応付けて当該映像データとともに記憶部１６０に記憶させる（Ｓ５１０）。一方、図３（Ｃ）におけるショットｍ３とショットｍ６のように、ＣＭ区間の前と後とで映像が一致しない分割区間があった場合（Ｓ５０４のＹｅｓ）、字幕類似度検出部１４０は、当該映像が一致しない分割区間に対応する時間に表示される字幕の類似度を検出する（Ｓ５０６）。
【００３７】
ここで字幕類似度検出部１４０は、ＣＭ前の分割区間における字幕の文字の一部とＣＭ後の分割区間における字幕の文字の一部とが一致する場合（Ｓ５０７のＹｅｓ）、ＣＭ前後のシーンが類似していると判別する（Ｓ５０９）。なお字幕類似度検出部１４０は、図４（Ａ）のようにショットｍ３の字幕の文字の全てとショットｍ６の字幕の文字の全てとが一致する場合、図４（Ｂ）や図４（Ｃ）のように字幕の前方／後方の一部が一致している場合、図４（Ｄ）のようにＣＭ前のショットに対応する複数の字幕のうち所定数以上の字幕において、字幕に含まれる文字の全てがＣＭ区間の後のショットの字幕に含まれる文字と一致する場合等に、処理をＳ５０７のＹｅｓのフローに進める。
【００３８】
そして区切り処理部１５０は、ＣＭ前のシーンチェンジ点とＣＭ区間の終了位置とに区切り情報（チャプタ等）を付与し、映像データとともに記憶部１６０に記憶させる（Ｓ５１０）。一方Ｓ５０７において、ＣＭ前の分割区間における字幕とＣＭ後の分割区間における字幕とが一致しない場合（Ｓ５０７のＮｏ）、区切り処理部１５０は図３（Ａ）の位置Ｐ１及びＰ２のようにＣＭ区間の開始位置近傍と終了位置近傍に区切り情報（チャプタ等）を付与する（Ｓ５０８）。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１００…録画装置、１１０…受信部、１２０…分離部、１３０…区間検出部、１３１…ＣＭ検出部、１３２…シーン検出部、１３３…画像類似度検出部、１４０…字幕類似度検出部、１５０…区切り処理部、１６０…記憶部、１７０…操作受付部、１８０…録画再生制御部、１９０…映像出力部、２００…表示装置、２１０…映像入力部、２２０…映像処理部、２３０…表示部
【図１】
2013030259.tif 000003
【図２】
2013030259.tif 000004
【図３】
2013030259.tif 000005
【図４】
2013030259.tif 000006
【図５】
2013030259.tif 000007